(57)【要約】  光ファイバモジュールについてのエポキシ変換部のさまざまな実施態様を開示する。本明細書に開示されるように、光ファイバモジュールシステムは、光ファイバモジュールの正面に複数の多芯アダプタを保持する光ファイバモジュールと、多芯ケーブルと、光ファイバモジュール内側で複数の個々の光ファイバに多芯ケーブルを変換するエポキシ変換部とを含むことができる。エポキシ変換部をエポキシによって充填して、エポキシ変換部内側に個々の光ファイバを固定することができる。
2021511544.tif 000002
【特許請求の範囲】
【請求項１】
光ファイバモジュールシステムであって、
光ファイバモジュールの正面に複数の光学アダプタを保持する前記光ファイバモジュールと、
多芯ケーブルと、
前記多芯ケーブルを前記光ファイバモジュール内側の複数の個々の光ファイバに変換させるエポキシ変換部であって、前記エポキシ変換部がエポキシによって充填されて前記エポキシ変換部内側の前記個々の光ファイバを固定する、前記エポキシ変換部と、
を備える、前記光ファイバモジュールシステム。
【請求項２】
前記エポキシ変換部は、エポキシ変換部品及びブーツを含む、請求項１に記載の光ファイバモジュールシステム。
【請求項３】
前記エポキシ変換部品は、前記エポキシ変換部品上の充填孔部を通して前記エポキシによって充填される、請求項２に記載の光ファイバモジュールシステム。
【請求項４】
前記エポキシの一部が前記エポキシ変換部品中のコーン内の孔部から出るように、前記エポキシ変換部品は、前記エポキシによって充填される、請求項３に記載の光ファイバモジュールシステム。
【請求項５】
前記ブーツは、ケーブルサイズ識別子を含む、請求項１に記載の光ファイバモジュールシステム。
【請求項６】
前記ケーブルサイズ識別子は、前記ブーツが一緒に使用されるように設計されるファイバ芯数を示す、請求項５に記載の光ファイバモジュールシステム。
【請求項７】
前記ケーブルサイズ識別子は、１２である、請求項６に記載の光ファイバモジュールシステム。
【請求項８】
前記ケーブルサイズ識別子は、２４である、請求項６に記載の光ファイバモジュールシステム。
【請求項９】
前記複数の個々の光ファイバのうちの少なくとも１つの個々の光ファイバは、自由端で単芯光ファイバコネクタに接続される、請求項１に記載の光ファイバモジュールシステム。
【請求項１０】
光ファイバモジュールシステムを組み立てる方法であって、
エポキシ変換部のブーツ中に多芯ケーブルを挿入することと、
前記多芯ケーブル上の外側ジャケットの一部をストリップしてシースを露出させることと、
前記露出したシースの一部をストリップして前記多芯ケーブル内の個々の光ファイバを露出させることと、
前記エポキシ変換部の成形された変換部品中の孔部を通して前記個々の光ファイバを挿入することと、
前記ブーツを前記成形された変換部品に取り付けることと、
前記成形された変換部品をエポキシによって充填して、前記成形された変換部品内に前記個々の光ファイバを固定することと、
を備える、前記方法。
【請求項１１】
前記成形された変換部品を前記エポキシによって充填することは、前記エポキシの一部が前記成形された変換部品中の孔部から出るように前記成形された変換部品を前記エポキシによって充填することを備える、請求項１０に記載の方法。
【請求項１２】
前記成形された変換部品を前記エポキシによって充填することは、前記成形された変換部品上の充填孔部を通して前記エポキシによって前記成形された変換部品を充填することを備える、請求項１０に記載の方法。
【請求項１３】
前記個々のファイバを単芯光ファイバコネクタに終端することを備える、請求項１０に記載の方法。
【請求項１４】
前記エポキシ変換部を前記光ファイバモジュールシステムの光ファイバモジュールに取り付けることを備える、請求項１３に記載の方法。
【請求項１５】
前記エポキシ変換部を前記光ファイバモジュールに取り付けることは、前記成形された変換部品上で一対のタブとフランジとの間の前記光ファイバモジュールの背面において壁部を摺動させることを備える、請求項１４に記載の方法。
【請求項１６】
最小曲げ半径を維持するために、前記光ファイバモジュール内側に前記個々の光ファイバを配線することを備える、請求項１４に記載の方法。
【請求項１７】
前記単芯光ファイバコネクタを前記光ファイバモジュールの正面において光学アダプタに嵌合することを備える、請求項１６に記載の方法。
【請求項１８】
前記シースは、ケブラーシースである、請求項１０に記載の方法。
【発明の詳細な説明】
【技術分野】
【０００１】
優先権
本出願は、２０１８年１月２３日に出願された米国仮出願第６２／６２０，７５３号の利益を主張するものであり、この内容は、参照により本明細書に援用される。
【背景技術】
【０００２】
光ファイバモジュール（カセットとも称される）を使用して、多芯ケーブル内の個々のファイバをＬＣ、ＭＴＰ、またはＳＣアダプタなどのファイバアダプタに変換することができる。いくつかの実施態様では、多芯プッシュオン／プッシュオフ（ＭＰＯ）アダプタを介して光ファイバモジュールに多芯ケーブルを取り付けることができ、そこで多芯ケーブル中の個々のファイバをＭＰＯコネクタで終端する。他の実施態様では、多芯ケーブルを、変換部を介して光ファイバモジュールに取り付けることができ、そこで多芯ケーブル内の個々のファイバを、モジュール内部に分配し、ファイバアダプタに直接取り付ける。
【発明の概要】
【０００３】
本開示は、光ファイバモジュールのための新しく革新的なエポキシ変換部を提供する。システム例は、光ファイバモジュールの正面に多芯アダプタを保持する光ファイバモジュールと、多芯ケーブルと、光ファイバモジュール内側の個々の光ファイバに多芯ケーブルを変換するエポキシ変換部とを含む。この例では、エポキシ変換部をエポキシによって充填して、エポキシ変換部内側に個々の光ファイバを固定することができる。
【０００４】
例示的な方法は、エポキシ変換部のブーツ中に多芯ケーブルを挿入すること、及び多芯ケーブル上の外側ジャケットの一部をストリップしてシースを露出させることを備える。さらに、例示的な方法は、露出したシースの一部をストリップして多芯ケーブル中の個々の光ファイバを露出させることと、エポキシ変換部の成形された変換部品中の孔部を通して個々の光ファイバを挿入することと、ブーツを成形された変換部品に取り付けることとを備える。次に、孔部をエポキシによって充填して、個々の光ファイバを成形された変換部品内に固定することができる。
【０００５】
以下の詳細な説明は、図面を参照する。
【図面の簡単な説明】
【０００６】
【図１】例示的な光ファイバモジュールシステムの図解である。
【図２】図１に示される例示的な光ファイバモジュールシステムの別の図解である。
【図３】例示的なエポキシ変換部の図解である。
【図４】図３に示される例示的なエポキシ変換部の別の図解である。
【図５】図３に示される例示的なエポキシ変換部の別の図解である。
【図６】図３に示される例示的なエポキシ変換部の別の図解である。
【図７】別の例示的な光ファイバモジュールシステムの図解である。
【図８】図７に示される例示的な光ファイバモジュールシステムの別の図解である。
【図９】別の例示的なエポキシ変換部の図解である。
【発明を実施するための形態】
【０００７】
テザー光ファイバモジュールは、コネクタ化された光ファイバモジュールの代わりに、永続的な低損失ソリューションに使用されることができる。テザー光ファイバモジュールは、コネクタ化された光ファイバモジュールの背面ＭＰＯ接続部を除去することにより、永続的なリンクの損失を低減させることができる。また、テザー光ファイバモジュールは、コネクタ化された光ファイバモジュールと比較して低コストのオプションを提供する。
【０００８】
環境調整中に、テザー光ファイバモジュールのケーブルの外側ジャケットは収縮する場合がある。多芯ケーブルの個々の光ファイバがそのような状態の間にこのモジュールの差込口で拘束されていない場合、これらのファイバは、光ファイバモジュールの内に移動し、光ファイバモジュールの内側に密集するようになる。その結果、個々の光ファイバは、急激に曲がることによって信号損失を引き起こす場合がある。
【０００９】
本明細書で開示される例は、テザー光ファイバモジュール用のエポキシベースの変換部のさまざまな実施態様を説明する。開示されたエポキシ変換部は、光ファイバモジュール及びケーブルアセンブリ内の改善されたファイバ保持のために、光ファイバモジュールの背面で多芯ケーブルを拘持することができる。さらに、開示されたエポキシ変換部は、光ファイバモジュール内の個々の光ファイバのピストニングを除去することができる。さらに、開示されたエポキシ変換部は、多芯ケーブルの内側の個々の光ファイバを単離することによって、これらのファイバが光ファイバモジュールの内側で密集するようになるのを防ぐ。
【００１０】
ここで、添付図面への参照がなされる。可能な限り、同一または類似する部分を参照するために、同一の参照符号が図面及び以下の説明で使用される。しかしながら、図面が例示及び説明目的のみのためのものであることを明示的に理解されたい。本明細書においていくつかの実施例が説明されるが、修正、適合、及び他の実装態様が可能である。したがって、以下の詳細な説明は、開示される実施例を限定するものではない。代わりに、開示される実施例の適切な範囲は、添付の特許請求の範囲によって定義されることができる。
【００１１】
図１は、例示的な光ファイバモジュールシステム１００の俯瞰図を示す。図１に示されるように、光ファイバモジュールシステム１００は、エポキシ変換部１０３によって多芯ケーブル１０２に取り付けられる光ファイバモジュール１０１を含むことができる。光ファイバモジュール１０１は、単芯または多芯（例えば、２芯）のＬＣアダプタ、ＭＴＰアダプタ、ＳＣアダプタなどであることができる複数の光ファイバアダプタ１０４を保持することができる。いくつかの実施態様では、光ファイバアダプタ１０４は、光ファイバモジュール１０１の正面中に挿入されることができ、多芯ケーブル１０２は、エポキシ変換部１０３を介して光ファイバモジュール１０１の背面中に挿入されることができる。
【００１２】
図２は、上面カバーが取り外されている光ファイバモジュールシステム１００の別の俯瞰図を示し、その中の内部配置を示している。図２に示されるように、多芯ケーブル１０２は、エポキシ変換部１０３を介して光ファイバモジュール１０１の内側の個々の光ファイバ１０５に変換される。光ファイバ１０５を単芯光ファイバコネクタ１１６で終端することができる。光ファイバコネクタ１１６を光ファイバアダプタ１０４中に挿入することができる。
【００１３】
図３〜図６は、例示的なエポキシ変換部１０３を詳細に示し、図３は、俯瞰図であり、図４は、正面斜視図であり、図５は、分解正面斜視図であり、図６は、側断面図である。エポキシ変換部１０３は、成形された変換部品１０６及びブーツ１０７を含むことができる。多芯ケーブル１０２をエポキシ変換部１０３中に挿入するために、多芯ケーブル１０２を、ブーツ１０７を通して挿入することができる。ブーツ１０７上のケーブルサイズ識別子１１１は、ブーツ１０７が一緒に使用されるように設計されているファイバ芯数を示すことができる。例えば、図３において、識別子１１１は、この例のブーツが１２芯のファイバ芯数で使用されるように設計されることができることを示す、「１２」である。代替の実施形態では、ファイバ芯数は、１２芯よりも多くても少なくてもよい（例えば、２４芯）。ブーツ１０７を通して挿入された多芯ケーブル１０２の一部上の外側ジャケットの一部（例えば、１３．５インチ）をストリップして、ケブラーラップのようなシース１１４中にラップされる個々の光ファイバ１０５を露出させることができる。任意選択でさらに、バンドルは、アクリレートコーティングされたバンドルであってもよい。シース１１４は、シース１１４の一部（例えば、外側ジャケットから１．４インチ）が露出したままになるように背面がストリップされることができる。
【００１４】
ストリップされた個々の光ファイバ１０５は、成形された変換部品１０６中の孔部１１３を通して挿入されてもよい。次いで、図５に示されるように、成形された変換部品１０６及びブーツ１０７は、ブーツ１０７の一部が成形された変換部品１０６の内側に緊合するように互いに向かい押し付けられる。次に、成形された変換部品１０６は、成形された変換部品１０６の上面上の充填孔部１１０を通してエポキシ１１５によって充填される。エポキシが成形された変換部品１０６の内側のキャビティに入ると、エポキシ１１５は、コーン１０８を介して孔部１１３から、成形された変換部品１０６内のいずれかの気体を押し出すため、成形された変換部品１０６中の個々の光ファイバ１０５の保持を改善する。エポキシ１１５によるカセット内の光ファイバの移動の制限は、アセンブリで見られる光損失量を低減させるのに役立つ。いくつかの実施態様では、成形された変換部品１０６中のキャビティは、エポキシ１１５のわずかな部分が孔部１１３を通って出るようにエポキシ１１５によって充填されることができるため、キャビティがエポキシ１１５によって完全に充填された視覚的な指標を設置者に提供する。エポキシ１１５は、多芯ケーブル１０２がエポキシ変換部１０３から後退して出るのを防止する。また、ブーツ１０７は、多芯ケーブル１０２の曲げ半径制御を提供する。
【００１５】
単芯光ファイバコネクタ１１６は、個々の光ファイバ１０５上で終端されてもよく、組み立てられたエポキシ変換部１０３は、光ファイバモジュール１０１に取り付けられてもよい。エポキシ変換部１０３の成形された変換部品１０６は、光ファイバモジュール１０１の背面内のスロット中に取り付けるための一対のタブ１０９、及びフランジ１１２を含むことができる。光ファイバモジュール１０１の壁部は、タブ１０９とフランジ１１２との間で密接して摺動して、エポキシ変換部１０３を光ファイバモジュール１０１に固定することができる。エポキシ変換部１０３が挿入されると、個々の光ファイバ１０５は、最小の許容可能な曲げ半径を維持するために光ファイバモジュール１０１の内側に円形に配線されてもよい（図２に示されるように）。光ファイバモジュール１０１の正面において、単芯光ファイバコネクタ１１６を光ファイバアダプタ１０４中に挿入することができる。
【００１６】
図７〜図９は、光ファイバモジュール２０１及びエポキシ変換部２０３を有する光ファイバモジュールシステム２００の別の例示的な実施態様を示す。光ファイバモジュール２０１は、光ファイバモジュール１０１と比較して異なるフォームファクタを有する場合があるため、エポキシ変換部２０３を光ファイバモジュール２０１に取り付けるための取り付けソリューションは、わずかに異なる。しかしながら、エポキシ変換部２０３の組み立ては、上記のエポキシ変換部１０３と同様であることができる。
【００１７】
多芯ケーブル２０２をエポキシ変換部２０３中に挿入するために、多芯ケーブル２０２を、ブーツ２０７を通して挿入することができる。ブーツ２０７を通して挿入された多芯ケーブル２０２の一部上の外側ジャケットの一部（例えば、１３．５インチ）をストリップして、ケブラーラップのようなシース（示されない）中にラップされる個々の光ファイバ１０５を露出させることができる。シースは、シースの一部（例えば、外側ジャケットから１．４インチ）が露出したままになるように背面がストリップされることができる。
【００１８】
ストリップされた個々の光ファイバ２０５は、成形された変換部品２０６中の孔部２１３を通して挿入されてもよい。次いで、成形された変換部品２０６及びブーツ２０７は、ブーツ２０７の一部が成形された変換部品２０６の内側に緊合するように互いに向かい押し付けられる。次に、成形された変換部品２０６は、成形された変換部品２０６の上面上の充填孔部２１０を通してエポキシによって充填される。エポキシが成形された変換部品２０６の内側のキャビティに入ると、エポキシは、コーン２０８を介して孔部２１３から、成形された変換部品２０６内のすべての気体を押し出すため、成形された変換部品２０６中の個々の光ファイバ２０５の保持を改善する。いくつかの実施態様では、成形された変換部品２０６中のキャビティは、エポキシのわずかな部分が孔部２１３を通って出るようにエポキシによって充填されることができるため、キャビティがエポキシによって完全に充填された視覚的な指標を設置者に提供する。これは、多芯ケーブル２０２がエポキシ変換部２０３から後退して出るのを防止する。また、ブーツ２０７は、多芯ケーブル２０２の曲げ半径制御を提供する。
【００１９】
単芯光ファイバコネクタ２１６は、個々の光ファイバ２０５上で終端されてもよく、組み立てられたエポキシ変換部２０３は、光ファイバモジュール２０１に取り付けられてもよい。図８及び図９に示されるように、エポキシ変換部２０３は、光ファイバモジュール２０１の背面中のスロット２１７内で摺動する単一フランジ２１２を含むことができる。エポキシ変換部２０３が挿入されると、個々の光ファイバ２０５は、最小の許容可能な曲げ半径を維持するために光ファイバモジュール２０１の内側に円形に配線されてもよい（図８に示されるように）。光ファイバモジュール２０１の正面において、単芯光ファイバコネクタ２１６を光ファイバアダプタ２０４中に挿入することができる。
【００２０】
本開示は、いくつかの実施形態を含むが、それらの実施形態は、非限定的であり、本発明の範囲内にある、変更、置換、及び均等物が存在することに留意されたい。加えて、説明される実施形態は、相互に排他的であると見なされるべきではなく、代わりに、そのような組み合わせが許される場合、潜在的に組み合わせ可能であると理解されるべきである。また、本開示の実施形態を実装する多くの代替的な方式が存在することに留意するべきである。したがって、以下に続くことができる特許請求の範囲は、本開示の真の精神及び範囲内にあるように、全てのそのような変更、置換、及び均等物を含むと見なされることを意図している。
【符号の説明】
【００２１】
１００  光ファイバモジュールシステム
１０１  光ファイバモジュール
１０２  多芯ケーブル
１０３  エポキシ変換部
１０４  光ファイバアダプタ
１０５  光ファイバ
１０６  変換部品
１０７  ブーツ
１０８  コーン
１０９  タブ
１１０  充填孔部
１１１  ケーブルサイズ識別子
１１２  フランジ
１１３  孔部
１１４  シース
１１５  エポキシ
１１６  単芯光ファイバコネクタ
２００  光ファイバモジュールシステム
２０１  光ファイバモジュール
２０２  多芯ケーブル
２０３  エポキシ変換部
２０４  光ファイバアダプタ
２０５  光ファイバ
２０６  変換部品
２０７  ブーツ
２０８  コーン
２１０  充填孔部
２１２  単一フランジ
２１３  孔部
２１６  単芯光ファイバコネクタ
２１７  スロット
【図１】
2021511544.tif 000003
【図２】
2021511544.tif 000004
【図３】
2021511544.tif 000005
【図４】
2021511544.tif 000006
【図５】
2021511544.tif 000007
【図６】
2021511544.tif 000008
【図７】
2021511544.tif 000009
【図８】
2021511544.tif 000010
【図９】
2021511544.tif 000011
【国際調査報告】
2021511544.tif 000012
2021511544.tif 000013
2021511544.tif 000014